Podtech/llm-jp-corpus-v4-ja_patent huggingface dataset:
【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
第１の主面と、前記第１の主面とは反対側にある第２の主面と、少なくとも２つのウェブ縁部と、を有する基材を含む連続ウェブと、
前記第１及び第２の主面の一方又は両方の上に、前記ウェブ縁部の一方又は両方に隣接して配置された、１つ以上の離散的な量の接着剤と、
を備え、
前記基材は、複数回の回転において自身の上に巻回されており、
各回転分は、１つ以上の接着剤ドットのストライプによって、次の回転分から実質的に分離されて保持されている、物品。
【請求項２】
前記離散的な量の接着剤は、それぞれがドーム形状を有する接着剤ドットを含む、請求項１に記載の物品。
【請求項３】
前記接着剤は、ガラス転移温度（Ｔｇ）が約２５℃以下である硬化インク組成物を含む、請求項１に記載の物品。
【請求項４】
前記硬化インク組成物は、１つ以上の感圧接着剤（ＰＳＡ）を含む、請求項３に記載の物品。
【請求項５】
前記硬化インク組成物は、硬化性インク組成物を硬化することによって得られる、請求項３に記載の物品。
【請求項６】
前記硬化性インク組成物は、
炭素数２〜６のアルキル基を有する約５０〜９９．８９重量部のヒドロキシアルキルアクリレートと、
ビニルモノマー、アクリレートモノマー及び（メタ）アクリレートモノマーのうちの１つ以上を含む、約０〜４９．８９重量部のエチレン性不飽和モノマーと、
（メタ）アクリル官能基を有する約０．０１〜５．０重量部の多官能性アクリレート又はオリゴマーと、
約０．１〜１０重量部の光開始剤と、
を含む、請求項５に記載の物品。
【請求項７】
第１の主面と、前記第１の主面とは反対側にある第２の主面と、少なくとも２つのウェブ縁部と、を有する基材を含む連続ウェブを準備することと、
前記第１及び第２の主面の一方又は両方の上に、前記ウェブ縁部の一方又は両方に隣接して硬化性インク組成物を離散的な量で供給することと、
インク組成物を硬化させて、１つ以上の離散的な量の接着剤を形成することと、
複数回の回転において前記基材をそれ自身の上に巻取ること、
を含み、
各回転分は、前記１つ以上の離散的な量の接着剤によって、次の回転分から実質的に分離して保持される、巻取りウェブを形成する方法。
【請求項８】
前記基材は、２Ｎ／ｃｍ以下の巻取り張力でロールツーロール工程で巻取られる、請求項７に記載の方法。
【請求項９】
感圧接着剤へとＵＶ硬化可能な物質からなるインクジェット印刷可能な組成物であって、前記組成物は、
炭素数２〜６のアルキル基を有する約５０〜９９．８９重量部のヒドロキシアルキルアクリレートと、
ビニルモノマー、アクリレートモノマー及び（メタ）アクリレートモノマーのうちの１つ以上を含む、約０〜４９．８９重量部のエチレン性不飽和モノマーと、
（メタ）アクリル官能基を有する約０．０１〜５．０重量部の多官能性アクリレート又はオリゴマーと、
約０．１〜１０重量部の光開始剤と、
を含み、前記組成物の粘度が、約１〜５０ｍＰａ・ｓであり、前記組成物の表面張力が、約２０〜４０ｄｙｎ／ｃｍである、組成物。
【請求項１０】
前記ヒドロキシアルキルアクリレートは、４−ヒドロキシブチルアクリレート（４−ＨＢＡ）を含む、請求項９に記載の組成物。
【手続補正書】
【提出日】令和2年1月20日(2020.1.20)
【手続補正１】
【補正対象書類名】特許請求の範囲
【補正対象項目名】全文
【補正方法】変更
【補正の内容】
【特許請求の範囲】
【請求項１】
４０ｗｔ％から７５ｗｔ％のオクチル錫メルカプチドと６０ｗｔ％から２５ｗｔ％のメチル錫メルカプチドとを含む組成物であって、
前記オクチル錫メルカプチドが、９０ｗｔ％から９８ｗｔ％のオクチル錫トリス（メルカプチド）と１０ｗｔ％から２ｗｔ％のジオクチル錫ビス（メルカプチド）とを含み、
前記メチル錫メルカプチドが、８１ｗｔ％から７１ｗｔ％のジメチル錫ビス（メルカプチド）と１９ｗｔ％から２９ｗｔ％のメチル錫トリス（メルカプチド）とを含む、組成物。
【請求項２】
メルカプチドは、メルカプト酢酸アルキル、メルカプトエチルカルボキシレート（mercaptoetheyl carboxylate）及び／又はアルキルメルカプチドのうちの１つ又は複数から選択される、請求項１記載の組成物。
【請求項３】
メルカプチドは、メルカプト酢酸２−エチルヘキシルである、請求項１記載の組成物。
【請求項４】
前記オクチル錫メルカプチドが、９５ｗｔ％のオクチル錫トリス（メルカプト酢酸２−エチルヘキシル）と５ｗｔ％のジメチル錫ビス（メルカプト酢酸２−エチルヘキシル）とを含み、
前記メチル錫メルカプチドが、７４ｗｔ％のジメチル錫ビス（メルカプト酢酸２−エチルヘキシル）と２６ｗｔ％のメチル錫トリス（メルカプト酢酸２−エチルヘキシル）とを含む、請求項１記載の組成物。
【請求項５】
オクチル錫メルカプチドのメチル錫メルカプチドに対する重量比が、５０／５０以上である、請求項１記載の組成物。
【請求項６】
オクチル錫メルカプチドのメチル錫メルカプチドに対する重量比が、６０／４０以上である、請求項１記載の組成物。
【請求項７】
オクチル錫メルカプチドの重量比が６０ｗｔ％から６４ｗｔ％であり、メチル錫メルカプチドの重量比が４０ｗｔ％から３６ｗｔ％である、請求項６記載の組成物。
【請求項８】
オクチル錫メルカプチドのメチル錫メルカプチドに対する重量比が、６２／３８である、請求項６記載の組成物。
【請求項９】
前記オクチル錫メルカプチドが、９５ｗｔ％のオクチル錫トリス（メルカプト酢酸２−エチルヘキシル）と５ｗｔ％のジオクチル錫ビス（メルカプト酢酸２−エチルヘキシル）とを含み、
前記メチル錫メルカプチドが、７４ｗｔ％のジメチル錫ビス（メルカプト酢酸２−エチルヘキシル）と２６ｗｔ％のメチル錫トリス（メルカプト酢酸２−エチルヘキシル）とを含む、請求項８記載の組成物。
【請求項１０】
前記オクチル錫メルカプチドが、モノオクチル錫及びジオクチル錫のメルカプチドを含有し、１４ｗｔ％の錫を含み、前記メチル錫メルカプチドが、モノメチル錫及びジメチル錫を含有し、１９％の錫を含む、請求項８記載の組成物。
【請求項１１】
オクチル錫メルカプチドのメチル錫メルカプチドに対する重量比が、７５／２５以上である、請求項１記載の組成物。
【請求項１２】
ポリ塩化ビニルを含む成形品であって、該成形品のうち３ｗｔ％から０．５ｗｔ％が請求項１、４、５、８又は１０に記載の組成物である、成形品。
【誤訳訂正書】
【提出日】令和2年1月16日(2020.1.16)
【誤訳訂正１】
【訂正対象書類名】明細書
【訂正対象項目名】００３５
【訂正方法】変更
【訂正の内容】
【００３５】
アクチュエータ７、８は、リニアモータ７とダイヤフラム駆動装置８とを備えている。リニアモータ７は、位置固定式に駆動装置ケーシング６内において配設されたコイルユニット７ａと、永久磁石ユニット７ｂとから形成されている。永久磁石ユニット７ｂは、統合された構成要素として、即ち、ロッド形状の操作機構５の一部分として形成されている。
【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
サンプルから目的の成分を抽出するために固体もしくは半固体材料内に、または固体もしくは半固体材料を通じて挿入するための固相マイクロ抽出サンプリング装置であって、前記固相マイクロ抽出サンプリング装置は、
前記目的の成分を抽出するための抽出相で少なくとも部分的に被覆された支持構造物
を含み、前記支持構造物は、
前記材料内に、または前記材料を通じて、前記サンプル内に挿入するための挿入部分
を有し、前記挿入部分は、
前記挿入部分の前突起側および後突起側を画定する突起
を含み、
前記抽出相は、挿入中に前記固体または半固体材料と相互作用している前記サンプリング装置の外側部分に位置し、
前記抽出相は、前記突起の前記後突起側に少なくとも位置し、前記突起の後側縁部に隣接し、
前記支持構造物の挿入軸に沿った方向に挿入中にコーティングを遮蔽する前記突起に前記抽出相が隣接する場合、前記突起は、前記抽出相の厚さとほぼ等しい前記支持構造物からの高さで突出し、
前記サンプリング装置は、前記挿入部分の挿入端部と前記挿入部分の前記挿入端部に最も近い前記突起との間で、前記挿入軸に沿って位置する多数の断面平面を有し、各断面平面は前記挿入軸からほぼ垂直に延びていて、前記挿入軸と前記サンプリング装置の外縁との間の距離を画定し、前記挿入部分の前記挿入端部に最も近い前記突起において前記断面平面の各距離は、他の断面平面それぞれの対応する距離よりも長いかまたはそれと等しい、固相マイクロ抽出サンプリング装置。
【請求項２】
鞘なしである、請求項１に記載のサンプリング装置。
【請求項３】
前記突起が、前記支持構造物の前記挿入部分の外周の周りに延びる、請求項１又は２に記載のサンプリング装置。
【請求項４】
複数の突起を含む、請求項１から３のいずれか一項に記載のサンプリング装置。
【請求項５】
前記複数の突起のそれぞれの高さがほぼ等しい、請求項４に記載のサンプリング装置。
【請求項６】
前記抽出相が、突起の隣接する対それぞれの間に位置する、請求項４又は５に記載のサンプリング装置。
【請求項７】
前記支持構造物が、ネジ状の形で前記支持構造物の外周の周りに延びる１個の突起を含む、請求項１から３のいずれか一項に記載のサンプリング装置。
【請求項８】
前記抽出相が、ネジ状の前記突起のネジ山の隣接する対それぞれの間に位置する、請求項７に記載のサンプリング装置。
【請求項９】
前記抽出相が、収着ポリマー、またはポリマーと前記ポリマー内に固定された収着材料との組み合わせを含む、請求項１から８のいずれか一項に記載のサンプリング装置。
【請求項１０】
前記収着材料が、順相シリカ粒子、Ｃ−１／シリカ粒子、Ｃ−４／シリカ粒子、Ｃ−６／シリカ粒子、Ｃ−８／シリカ粒子、Ｃ−１８／シリカ粒子、Ｃ−３０／シリカ粒子、逆相アミドシリカ粒子、ＨＳ−Ｆ５／シリカ粒子、フェニル／シリカ粒子、シアノ／シリカ粒子、ジオール／シリカ粒子、イオン性液体／シリカ粒子、分子インプリントポリマー粒子、親水性−親油性バランス（ＨＬＢ）粒子、ｃａｒｂｏｘｅｎ  １００６粒子、ｃａｒｂｏｗａｘ粒子、ジビニルベンゼン（ＤＶＢ）粒子、オクタデシルシラン粒子、ナノ粒子、加工鉱物ベースの粒子、カーボンナノチューブ、官能化カーボンナノチューブ、グラフェン、酸化グラフェン、官能化グラフェン、量子ドットまたはこれらの任意の組み合わせを含む、請求項９に記載のサンプリング装置。
【請求項１１】
前記収着ポリマーが、ポリジビニルベンゼン（ＤＶＤ）、ポリジメチルシロキサン（ＰＤＭＳ）、親水性−親油性バランス（ＨＬＢ）またはポリエチレングリコール（ＰＥＧ）等の有機ポリマーを含む、請求項９又は１０に記載のサンプリング装置。
【請求項１２】
前記支持構造物が、前記サンプル内への挿入深さを制御するように構成されている、請求項１から１１のいずれか一項に記載のサンプリング装置。
【請求項１３】
前記装置の少なくとも前記挿入部分上に位置する別のコーティングをさらに含む、請求項１から１２のいずれか一項に記載のサンプリング装置。
【請求項１４】
前記別のコーティングが、ポリアクリロニトリル、ポリテトラフルオロエチレン、ポリジメチルシロキサン、ポリエチレングリコールまたはこれらの組み合わせを含む生体適合性ポリマーコーティングからなる、請求項１３に記載のサンプリング装置。
【請求項１５】
前記固体もしくは半固体材料が、組織、膜またはセプタムである、請求項１から１４のいずれか一項に記載のサンプリング装置。
【請求項１６】
前記固体もしくは半固体材料が、前記サンプルの一部である、又は前記サンプルと同じである、請求項１から１５のいずれか一項に記載のサンプリング装置。
【請求項１７】
前記サンプルが、果物、野菜または、臓器組織、上皮組織、筋肉組織、神経組織、結合組織または石灰化組織、脳組織若しくは魚組織等の生物組織である、請求項１から１６のいずれか一項に記載のサンプリング装置。
【請求項１８】
前記目的の成分が、細菌、ウイルス、細胞内成分、生体高分子、ＤＮＡ、タンパク質、薬物、薬物代謝産物、ホルモン、ビタミン、環境汚染物質、化学物質、細胞またはこれらの組み合わせである、請求項１から１７のいずれか一項に記載のサンプリング装置。
【請求項１９】
サンプルから目的の成分を抽出するための方法であって、
請求項１から１８のいずれか一項に記載の装置を固体もしくは半固体材料内に、または固体もしくは半固体材料を通じて、前記サンプル内に挿入するステップと、
前記目的の成分を収着するステップと、
前記装置を前記サンプルから除去するステップと
を含む方法。
【請求項２０】
前記目的の成分の脱離、および測定または同定のために前記抽出相を分析装置内に配置するステップをさらに含む、請求項１９に記載の方法。
【手続補正書】
【提出日】令和2年1月8日(2020.1.8)
【手続補正１】
【補正対象書類名】特許請求の範囲
【補正対象項目名】全文
【補正方法】変更
【補正の内容】
【特許請求の範囲】
【請求項１】
タービンエンジンの潤滑剤ホイールであって、このホイールが軸（Ｘ）を有し、この軸周りに環状キャビティ（３７）が延び、
この環状キャビティが、軸に向かって径方向に開いており、
環状キャビティが、潤滑剤を受領するように、前記軸に対して実質的に径方向である第１の壁（３９ａ）および第２の壁（３９ｂ）によって横に境界が形成されており、
この環状キャビティからは、潤滑剤が送られることになる様々な異なる部材に潤滑剤を送るために、少なくとも第１の潤滑剤供給ライン（４３）および第２の潤滑剤供給ラインと（４５）が出発しており、
前記キャビティが、前記軸に対して平行に、少なくとも第１の環状サブキャビティ（４０ａ）と第２の環状サブキャビティ（４０ｂ）とに分割され、
第１の環状サブキャビティと第２の環状サブキャビティとが、前記軸に対して実質的に径方向である環状の内側パーティション（３８）によって分割されており、
また、第１のライン（４３）と第２のライン（４５）とにそれぞれ連通しており、
環状キャビティ（３７）が、内側パーティション（３８）の位置におけるオーバーフローキャパシティを有し、それにより、第１の壁および第２の壁に対してオーバーフローすることなく、前記軸に対して平行に、第１のサブキャビティから第２のサブキャビティ、またはその逆に、潤滑剤のオーバーフローが生じ得るようになっていることを特徴とする、タービンエンジンの潤滑剤ホイール。
【請求項２】
径方向に、前記軸に対して、
第１のサブキャビティ（４０ａ）と第２のサブキャビティ（４０ｂ）との各々が底部（４１ａ、４１ｂ）を有し、
内側パーティション（３８）が、各底部に関し、第１の壁および第２の壁の高さ（複数の場合もある）より低い高さを有している、請求項１に記載のホイール。
【請求項３】
共通の回転軸（Ｘ）周りに回転しつつ互いに噛み合うピニオン（１１、１２、１３）のアセンブリのオイル供給装置であって、
潤滑オイルタンク（３１）と、
前記アセンブリにオイルを供給するための少なくとも１つの固定されたライン（３２）、および、回転している噛み合ったピニオンにオイルを供給するための他のラインであって、前記他の供給ラインが、共通の回転軸（Ｘ）周りに回転移動可能である、他のラインと、
固定された供給ライン（３２）の端部においてオイルを噴出するための少なくとも１つの手段（３３）と
を備え、
前記共通の回転軸（Ｘ）周りに回転移動可能であり、オイルを受領するために、前記噴出手段（３３）に対向して位置している、請求項１または請求項２に記載のホイール（３５）をさらに備えており、前記サブキャビティのうちの１つへの過度な供給が、前記オイルのオーバーフローを可能にすることを特徴とする、オイル供給装置。
【請求項４】
回転軸（Ｘ）周りに回転するように適合された遊星減速歯車であって、
共通の回転軸（Ｘ）周りに回転しつつ互いに噛み合うピニオンのアセンブリ（１１、１２、１３）と、
請求項３に記載のオイル供給装置、または、請求項１もしくは請求項２に記載のホイール（３５）と、
を備えた、遊星減速歯車。
【請求項５】
内側パーティション（３８）の自由端部が、ホイールの第１の横方向の壁（３９ａ）および第２の横方向の壁（３９ｂ）の自由端部が離れているよりも、回転軸（Ｘ）から離れている、請求項４に記載の減速歯車。
【請求項６】
請求項４または請求項５に記載の減速歯車によって駆動されるファンシャフト（４）を備えたデュアルフロー・ターボジェット・ファン・モジュール。
【請求項７】
請求項４もしくは請求項５に記載の少なくとも１つの減速歯車、または、請求項６に記載のデュアルフロー・ターボジェット・ファン・モジュールを備えたタービンエンジン。
【請求項８】
請求項３に記載のオイル供給装置の動作方法であって、この方法に従って、
ホイール（３７）の環状キャビティに、オイル噴出手段（３３）を介してオイルが供給され、それにより、潤滑オイルの最初の分配が、内側パーティションによってホイールのキャビティ内に生じ、また、オイルレベルまたは複数のオイルレベルがこうして前記第１のサブキャビティ（４０ａ）および第２のサブキャビティ（４０ｂ）に生じるようになっており、
前記第１のサブキャビティおよび第２のサブキャビティの一方へ、内側パーティション（３８）の位置においてホイールの前記第１のサブキャビティおよび第２のサブキャビティの他方内へオイルがあふれるまで過度に供給される、動作方法。
【請求項９】
前記第１のサブキャビティ（４０ａ）と第２のサブキャビティ（４０ｂ）との少なくとも１つの過度な供給が、ホイールの外へあふれるまで継続される、請求項８に記載の方法。
【請求項１０】
ホイールの環状キャビティ（３７）にオイルを供給、および過度に供給するために、ホイールが回転し、遠心力による圧力がキャビティ内に、ホイール（３５）の回転速度、および、前記キャビティ内のオイルの柱の高さに応じて生成される、請求項８または請求項９に記載の方法。
【手続補正書】
【提出日】令和2年2月17日(2020.2.17)
【手続補正１】
【補正対象書類名】特許請求の範囲
【補正対象項目名】全文
【補正方法】変更
【補正の内容】
【特許請求の範囲】
【請求項１】
尿計量装置であって、採尿容器を支持するように構成される支持手段と、前記容器の重量を電気信号に変換するトランスデューサと、前記電気信号を処理して前記容器の重量を継続的に計算することにより、前記容器に溜まる尿の重量を計算して排尿流量を決定することができるプロセッサと、を備え、
前記トランスデューサは、ロードセルであり、前記ロードセルは、力の正方向変化および負方向変化の両方を測定するように構成される２つの歪みゲージを最小限備えるＳ型ロードセルである、尿計量装置。
【請求項２】
前記装置は、前記容器の重量を測定することにより前記容器に溜まる尿の容積をリアルタイムに計算するように構成される請求項１に記載の装置。
【請求項３】
前記装置は、排泄尿の容積を複数の時点で計算し、次に尿容積の変化率を前記複数の時点に亘って計算するように構成される、および／または前記支持手段は、前記採尿容器を支持するフック、掛け止めフック、クリップ、またはクレードルである、請求項１または２に記載の装置。
【請求項４】
前記採尿容器は、採尿バッグである、および／または前記装置は、前記トランスデューサにより生成される電子アナログ信号を増幅するように構成されるアンプを備える、請求項１乃至３のいずれか一項に記載の装置。
【請求項５】
前記装置は、データを処理して、衝撃が入ることによる、臨床介入による、および／または前記装置および／または被験者が動くことによる不所望な変化およびデータアーチファクトを除去するように構成され、選択的に、前記プロセッサにアルゴリズムを書き込み、前記アルゴリズムは、前記データを処理して、衝撃が入ることによる、臨床介入による、および動くことによる不所望な変化およびデータアーチファクトを除去する、請求項１乃至４のいずれかに記載の装置。
【請求項６】
前記装置は、データを別体の電子機器、コンピュータ、サーバ（ウェブページ）、ラップトップ、タブレット、またはスマートフォンに送信する無線モジュールを備える請求項１乃至５のいずれか一項に記載の装置。
【請求項７】
前記装置は、１ｍｌ、０．７５ｍｌ、０．５ｍｌ、０．３ｍｌ、または０．１ｍｌ未満の排泄尿の容積の変化を検出することができる、請求項１乃至６のいずれか一項に記載の装置。
【請求項８】
前記装置は、誘導充電を使用する電源をさらに有する、請求項１乃至７のいずれか一項に記載の装置。
【請求項９】
尿を計量する請求項１乃至８のいずれか一項に記載の装置の使用。
【請求項１０】
被験者の排尿量を測定する方法であって、前記方法は、請求項１乃至８のいずれか一項に記載の装置が取り付けられた前記被験者の前記排尿量を測定することを含む方法。
【請求項１１】
前記方法は、データを処理して、衝撃が入ることによる、臨床介入による、および前記装置および／または被験者が動くことによる不所望な変化およびデータアーチファクトを除去することを含む請求項１０に記載の方法。
【請求項１２】
採尿容器をさらに備える請求項１乃至８のいずれか一項に記載の装置。
【請求項１３】
尿を被験者から前記採尿容器に供給する供給手段を備える請求項１２に記載の装置。
【請求項１４】
前記供給手段はカテーテルである請求項１３に記載の装置。
【請求項１５】
前記装置から送信されるデータを受信する少なくとも１つの機器をさらに備え、前記データは前記排尿の重量に対応する、請求項１乃至８のいずれか一項に記載の装置。
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
患者のオリフィス内への挿入及びその保護のための外科用シールドであって、
耐切断性材料で形成されたガード部分であって、間に厚さを定める内面と外面とを有する略管形状を有し、近位端の近位開口部と遠位端の遠位開口部との間で長軸に沿って延びる内腔を定める、ガード部分と、
ハンドル部分に接続された補強部分を有するバッテンであって、前記補強部分は、前記ガード部分に接続され、前記ガード部分の前記長軸に沿って延び、前記ハンドル部分は、前記ガード部分の前記近位端に位置し、前記ガード部分の前記近位端から遠ざかる方向に延びる、バッテンと、
を備えることを特徴とする、外科用シールド。
【請求項２】
前記ガード部分は、前記外面と前記内面との間に定められた少なくとも１つのチャネルを含み、前記チャネルは、前記近位端に開口部を有し、前記バッテンの前記補強部分は、前記チャネルの内部に位置し、
前記バッテンは、前記チャネルから取外し可能であることを特徴とする、請求項１記載の外科用シールド。
【請求項３】
前記ハンドル部分は、前記長軸から遠ざかる方向に延びることを特徴とする、請求項１記載の外科用シールド。
【請求項４】
前記バッテンは、前記ガード部分よりも相対的に剛性であり、前記ガード部分は、可撓性材料で作られることを特徴とする、請求項１記載の外科用シールド。
【請求項５】
前記ガード部分は、前記遠位開口部のまわりで拡大された厚さを有するビードを含むことを特徴とする、請求項１記載の外科用シールド。
【請求項６】
前記ガード部分は、拡大状態と縮小状態とを有し、前記ガード部分は、前記拡大状態に戻るように付勢された、耐切断性の可撓性材料で作られることを特徴とする、請求項１記載の外科用シールド。
【請求項７】
前記遠位開口部は、前記長軸に対して角度を成す遠位平面内にあり、前記患者のオリフィス内への前記シールドの前記遠位端の挿入を促進することを特徴とする、請求項１記載の外科用シールド。
【請求項８】
前記近位開口部は、前記長軸に対して角度を成す近位平面内にあり、前記近位端においてフランジを形成することを特徴とする、請求項１記載の外科用シールド。
【請求項９】
前記ガード部分は、実質的に砂時計形であり、前記バッテンは、Ｌ形であることを特徴とする、請求項１記載の外科用シールド。
【請求項１０】
患者のオリフィス内への挿入及びその保護のための外科用シールドであって、
耐切断性材料で作られたガード部分であって、近位端の近位開口部と遠位端の遠位開口部との間で長軸に沿って延びる内腔を定める略管形状を有し、前記長軸に対して垂直な横軸を有するガード部分を備え、
前記遠位開口部は、前記長軸に対して角度を成す遠位平面内にあり、前記患者のオリフィス内への前記シールドの前記遠位端の挿入を促進することを特徴とする、外科用シールド。
【請求項１１】
前記遠位平面は、前記横軸に対して平行であることを特徴とする、請求項１０記載の外科用シールド。
【請求項１２】
前記近位開口部は、前記長軸に対して角度を成す近位平面内にあり、前記近位端においてフランジを形成することを特徴とする、請求項１０記載の外科用シールド。
【請求項１３】
前記近位平面は、前記横軸に対して平行であることを特徴とする、請求項１２記載の外科用シールド。
【請求項１４】
前記遠位平面及び近位平面は、実質的に平行であることを特徴とする、請求項１３記載の外科用シールド。
【請求項１５】
前記ガード部分に接続されたバッテンをさらに含み、前記バッテンは、前記ガード部分よりも剛性であることを特徴とする、請求項１０記載の外科用シールド。
【手続補正書】
【提出日】令和2年1月17日(2020.1.17)
【手続補正１】
【補正対象書類名】特許請求の範囲
【補正対象項目名】全文
【補正方法】変更
【補正の内容】
【特許請求の範囲】
【請求項１】
微生物の抗菌剤感受性を決定するための方法であって、
微生物の液体懸濁液に抗菌剤を加え、抗菌剤の存在下における微生物の液体懸濁液を形成し、
微生物の液体懸濁液にシグナル伝達剤を加え、
微生物の増殖を促進する条件下で、抗菌剤及びシグナル伝達剤の存在下で、微生物の液体懸濁液をインキュベートし、シグナル伝達剤は会合及び／又はインターカレートすることによって微生物の表面に結合することができ、
シグナル伝達剤によって結合された微生物を非結合シグナル伝達剤から分離し、並びに
１つ以上の対照と比較して微生物に関連するシグナルレベルを決定し、ここで、微生物表面と会合する及び／又は微生物表面にインターカレートするシグナル伝達剤の数は、微生物の表面積に比例し、これにより微生物の抗菌剤感受性を決定すること
を含む方法。
【請求項２】
シグナル伝達剤が、シグナル増幅剤と、微生物の表面に非特異的に結合することができる１つ以上の化学的部分とを含む、請求項１に記載の方法。
【請求項３】
微生物の表面への結合が、非特異的非共有結合相互作用を含む、請求項１又は２に記載の方法。
【請求項４】
シグナル伝達剤が、微生物の表面と、非特異的な共有結合を形成する、請求項１又は２に記載の方法。
【請求項５】
シグナル伝達剤が、リンカー基Ｌを含む化学化合物であり、ここで、
Ｌが、化学若しくは生化学増幅剤である増幅基１０４と共有結合を形成するか、又は
Ｌが、化学若しくは生化学増幅剤である増幅基１０４と共有結合を形成することができるか、又は
Ｌが、化学若しくは生化学増幅剤である増幅基１０４と１つ以上の非共有結合相互作用を形成するか、又は
Ｌが、化学若しくは生化学増幅剤である増幅基１０４と１つ以上の非共有結合相互作用を形成することができる、
請求項１〜４のいずれか一項に記載の方法。
【請求項６】
前記リンカー基Ｌが、
微生物の表面と共有結合又は非共有結合相互作用を形成することができる化学的部分１０１、
化学的部分１０１及び化学的部分１０３に共有結合しているスペーサー部分１０２、並びに
化学又は生化学増幅剤である増幅基１０４と共有結合を形成している又は形成することができる化学的部分１０３
を含む、請求項５に記載の方法。
【請求項７】
シグナル伝達剤が、
【化１】
2019508062.tif 000001
2019508062.tif 000002
2019508062.tif 000003
からなる群より選択される構造を含むか又はこの構造から形成される、請求項５又は６に記載の方法。
【請求項８】
化学的部分１０１が、カップリングを促進する１つ以上の作用物質の存在下で、微生物の表面と共有結合を形成することができる、請求項５又は６に記載の方法。
【請求項９】
前記１つ以上の作用物質が、グルタルアルデヒド、ホルムアルデヒド、パラホルムアルデヒド、ＥＤＣ、ＤＣＣ、ＣＭＣ、ＤＩＣ、ＨＡＴＵ、ウッドワード試薬、Ｎ，Ｎ’−カルボニルジイミダゾール、アクリレート、アミド、イミド、無水物、クロロトリアジン、エポキシド、イソシアネート、イソチオシアネート、有機酸、モノマー、ポリマー、シラン、シリケート、ＮＨＳ、スルホ−ＮＨＳ、又はこれらの任意の組み合わせからなる群から選択される、請求項８に記載の方法。
【請求項１０】
方法が、インキュベーションの前又はインキュベーション中に固体表面上で微生物を捕捉する工程を含まない、及び／又は
方法が、インキュベーション工程中又はインキュベーション工程後に固体表面上で微生物を増殖させる工程を含まない、
請求項１〜９のいずれか一項に記載の方法。
【請求項１１】
１つ以上の対照が、他の点では同一条件であるが、抗菌剤を含まない条件下又は微生物が感受性でない１つ以上の抗菌剤を含む条件下で、微生物から測定された陽性対照を含む、請求項１〜１０のいずれか一項に記載の方法。
【請求項１２】
微生物が、細菌、真菌、原生動物及び／又は古細菌である、請求項１〜１１のいずれか一項に記載の方法。
【請求項１３】
微生物が１つ以上の抗菌剤に耐性、中等度耐性若しくは感受性であるかどうかを決定する工程、及び／又は無傷の微生物に関連するシグナルレベルに基づいて１つ以上の抗菌剤の最小阻害濃度（ＭＩＣ）を決定する工程をさらに含む、請求項１〜１２のいずれか一項に記載の方法。
【請求項１４】
複数の抗菌剤を並行して試験する、請求項１〜１３のいずれか一項に記載の方法。
【請求項１５】
微生物の同定が、微生物が得られた生物学的試料から及び／又は微生物が得られた生物学的試料に由来する培養物から実施される、請求項１〜１４のいずれか一項に記載の方法。
【手続補正書】
【提出日】令和2年3月16日(2020.3.16)
【手続補正１】
【補正対象書類名】特許請求の範囲
【補正対象項目名】全文
【補正方法】変更
【補正の内容】
【特許請求の範囲】
【請求項１】
ゲノム編集によってヒト細胞の胎児ヘモグロビンレベルを増加させる、インビトロまたはエクスビボで行う方法であって、前記方法は前記ヒト細胞にリボ核タンパク質（ＲＮＰ）複合体を導入するステップを含み、
前記リボ核タンパク質複合体が：
（ａ）Ｃａｓ９エンドヌクレアーゼタンパク質；および
（ｂ）ＨＢＧ１またはＨＢＧ２調節領域内に完全にまたは部分的に位置する標的ドメインに相補的または部分的に相補的なヌクレオチド配列を含む標的化ドメインを含むガイドＲＮＡ（ｇＲＮＡ）を含む、方法。
【請求項２】
前記標的化ドメインが、配列番号２５１〜９０１のいずれか１つに記載のヌクレオチド配列と同一であるか、または１、２、３、４、もしくは５個以下のヌクレオチドのみ異なるヌクレオチド配列を含む、請求項１に記載の方法。
【請求項３】
前記ヒト細胞が、（１）赤芽球に分化することができる細胞、（２）赤血球に分化することができる細胞、（３）赤芽球の前駆体、（４）赤血球の前駆体、および（５）長期造血幹細胞（ＬＴ−ＨＳＣ）からなる群から選択される１つ以上の細胞から選択される、請求項１に記載の方法。
【請求項４】
前記ヒト細胞がＣＤ３４＋細胞である、請求項３に記載の方法。
【請求項５】
前記ｇＲＮＡが、２’−アセチル化、２’−メチル化、およびホスホロチオエート修飾からなる群から選択される１つ以上の修飾を含む、請求項１に記載の方法。
【請求項６】
前記ヒト細胞に導入するステップが、前記ヒト細胞に一本鎖オリゴデオキシヌクレオチド（ｓｓＯＤＮ）を導入することをさらに含む、請求項１に記載の方法。
【請求項７】
前記ヒト細胞に導入するステップが、電気穿孔によって行われる、請求項１に記載の方法。
【請求項８】
リボ核タンパク質（ＲＮＰ）複合体を用いて修飾された細胞であって：
（ａ）Ｃａｓ９エンドヌクレアーゼタンパク質；および
（ｂ）ＨＢＧ１またはＨＢＧ２調節領域内に完全にまたは部分的に位置する標的ドメインに相補的または部分的に相補的なヌクレオチド配列を含む標的化ドメインを含むガイドＲＮＡ（ｇＲＮＡ）を含む、細胞。
【請求項９】
前記標的化ドメインが、配列番号２５１〜９０１のいずれか１つに記載のヌクレオチド配列と同一であるか、または１、２、３、４、もしくは５個以下のヌクレオチドのみ異なるヌクレオチド配列を含む、請求項８に記載の細胞。
【請求項１０】
前記ｇＲＮＡが、２’−アセチル化、２’−メチル化、およびホスホロチオエート修飾からなる群から選択される１つ以上の修飾を含む、請求項８に記載の細胞。
【請求項１１】
前記細胞が、（１）赤芽球に分化することができる細胞、（２）赤血球に分化することができる細胞、（３）赤芽球の前駆体、（４）赤血球の前駆体、および（５）長期造血幹細胞（ＬＴ−ＨＳＣ）からなる群から選択される１つ以上の細胞から選択される、請求項８に記載の細胞。
【請求項１２】
リボ核タンパク質（ＲＮＰ）複合体を含むゲノム編集システムであって：
（ａ）Ｃａｓ９エンドヌクレアーゼタンパク質；および
（ｂ）ＨＢＧ１またはＨＢＧ２調節領域内に完全にまたは部分的に位置する標的ドメインに相補的または部分的に相補的なヌクレオチド配列を含む標的化ドメインを含むガイドＲＮＡ（ｇＲＮＡ）を含む、ゲノム編集システム。
【請求項１３】
前記標的化ドメインが、配列番号２５１〜９０１のいずれか１つに記載のヌクレオチド配列と同一であるか、または１、２、３、４、もしくは５個以下のヌクレオチドのみ異なるヌクレオチド配列を含む、請求項１２に記載のゲノム編集システム。
【請求項１４】
前記ｇＲＮＡが、２’−アセチル化、２’−メチル化、およびホスホロチオエート修飾からなる群から選択される１つ以上の修飾を含む、請求項１２に記載のゲノム編集システム。
【手続補正書】
【提出日】令和2年2月14日(2020.2.14)
【手続補正１】
【補正対象書類名】特許請求の範囲
【補正対象項目名】全文
【補正方法】変更
【補正の内容】
【特許請求の範囲】
【請求項１】
造血幹細胞集団を、細胞におけるikarosファミリーメンバー転写因子のレベルを低減させる1種類または複数種類の作用物質と接触させる工程であって、該1種類または複数種類の作用物質が、増大した造血幹細胞集団を作製するのに十分な量で存在する、前記工程
を含む、増大した造血幹細胞集団をエクスビボで作製する方法。
【請求項２】
(i)前記1種類もしくは複数種類の作用物質が、
造血幹細胞について富化された細胞集団を作製する、
造血幹細胞の造血幹細胞機能的能力を維持する、および/もしくは
前記造血幹細胞集団におけるNotch標的遺伝子の発現を、該第1の造血幹細胞集団と同じ条件下でかつ同じ時間にわたって培養されたが該1種類もしくは複数種類の作用物質と接触されていない対照造血幹細胞集団と比べて増加させる
のに十分な量で存在する、または
(ii)前記1種類もしくは複数種類の作用物質が、
造血幹細胞について富化された細胞集団を作製する、
造血幹細胞の造血幹細胞機能的能力を維持する、および/もしくは
前記造血幹細胞集団におけるNotch標的遺伝子の発現を、該第1の造血幹細胞集団と同じ条件下でかつ同じ時間にわたって培養されたが該1種類もしくは複数種類の作用物質と接触されていない対照造血幹細胞集団と比べて増加させる
のに十分な量で存在し、該Notch標的遺伝子がHes1およびMycからなる群より選択される、
請求項1に記載の方法。
【請求項３】
前記ikarosファミリーメンバー転写因子が、ikaros、aiolos、およびheliosからなる群より選択される、請求項1または2に記載の方法。
【請求項４】
造血幹細胞集団を、セレブロンを含むユビキチンリガーゼ複合体を活性化する1種類または複数種類の作用物質と接触させる工程であって、該1種類または複数種類の作用物質が、増大した造血幹細胞集団を作製するのに十分な量で存在する、前記工程
を含む、増大した造血幹細胞集団をエクスビボで作製する方法。
【請求項５】
細胞におけるikarosファミリーメンバー転写因子のレベルを低減させる、またはセレブロンを含むユビキチンリガーゼ複合体を活性化する、前記1種類または複数種類の作用物質が、式(1)によって表される化合物を含む、請求項1〜4のいずれか一項に記載の方法：
2019508055.tif 000001
式中、
Yは、C=OまたはCH2であり;
X1、X2、X3、およびX4のそれぞれは、独立して水素または-NHX5であり;
X5は、水素または1〜8個の炭素原子のアルキル基であり;かつ
X6は、水素、1〜8個の炭素原子のアルキル基、ベンジル基、またはハロゲン原子である。
【請求項６】
式(1)によって表される前記化合物が、ポマリドミド、レナリドミド、およびサリドマイドからなる群より選択される、請求項5に記載の方法。
【請求項７】
前記造血幹細胞集団を、UM171、その構造類似体、および表1に列挙した化合物より選択される1種類または複数種類の化合物と接触させる工程をさらに含む、請求項1〜6のいずれか一項に記載の方法。
【請求項８】
(i)前記造血幹細胞集団を、TGFβシグナル伝達を阻害する1種類または複数種類の作用物質と接触させる工程；
(ii)前記造血幹細胞集団を、TGFβシグナル伝達を阻害する1種類または複数種類の作用物質と接触させる工程であって、TGFβシグナル伝達を阻害する該1種類または複数種類の作用物質がTGFβ受容体阻害物質を含む、前記工程；または
(iii)前記造血幹細胞集団を、TGFβシグナル伝達を阻害する1種類または複数種類の作用物質と接触させる工程であって、TGFβシグナル伝達を阻害する該1種類または複数種類の作用物質がTGFβ受容体阻害物質を含み、該TGFβ受容体阻害物質がALK5阻害物質II、LY364947、DMH1、およびA83-01からなる群より選択される、前記工程
をさらに含む、請求項1〜7のいずれか一項に記載の方法。
【請求項９】
(i)前記造血幹細胞集団を、ヒストンメチル化を調節する1種類または複数種類の作用物質と接触させる工程；
(ii)前記造血幹細胞集団を、ヒストンメチル化を調節する1種類または複数種類の作用物質と接触させる工程であって、ヒストンメチル化を調節する該1種類または複数種類の作用物質がヒストンデメチラーゼ阻害物質を含み、該ヒストンデメチラーゼ阻害物質がLSD1阻害物質である、前記工程；または
(iii)前記造血幹細胞集団を、ヒストンメチル化を調節する1種類または複数種類の作用物質と接触させる工程であって、ヒストンメチル化を調節する該1種類または複数種類の作用物質がヒストンデメチラーゼ阻害物質を含み、該ヒストンデメチラーゼ阻害物質がLSD1阻害物質であり、該LSD1阻害物質がLSD1阻害物質IV RN-1、LSD1阻害物質II S2101、LSD1阻害物質LSD1-C76、LSD1阻害物質III CBB1007、LSD1阻害物質I、およびトラニルシプロミンからなる群より選択される、前記工程
をさらに含む、請求項1〜8のいずれか一項に記載の方法。
【請求項１０】
前記造血幹細胞集団を、ヒストンアセチル化を調節する1種類または複数種類の作用物質と接触させる工程をさらに含む、請求項1〜9のいずれか一項に記載の方法。
【請求項１１】
ヒストンアセチル化を調節する前記1種類または複数種類の作用物質が、トリコスタチンA、バルプロ酸、ブチリルヒドロキサム酸、およびistodaxからなる群より選択されるヒストン脱アセチル化阻害物質を含む、請求項10に記載の方法。
【請求項１２】
前記造血幹細胞集団を、
a．p38シグナル伝達の阻害;および
b．古典的Wntシグナル伝達の活性化
からなる群より選択される1つまたは複数の作用を示す1種類または複数種類の作用物質と接触させる工程をさらに含む、請求項1〜11のいずれか一項に記載の方法。
【請求項１３】
前記造血幹細胞集団を、アリール炭化水素受容体シグナル伝達を阻害する1種類または複数種類の作用物質と接触させる工程をさらに含む、請求項1〜12のいずれか一項に記載の方法。
【請求項１４】
アリール炭化水素受容体シグナル伝達を阻害する前記1種類または複数種類の作用物質がSR1を含む、請求項13に記載の方法。
【請求項１５】
造血幹細胞集団を、アリール炭化水素受容体シグナル伝達を阻害する1種類または複数種類の作用物質、ならびに
a．ヒストンメチル化の調節;
b．TGFβシグナル伝達の阻害;
c．p38シグナル伝達の阻害;
d．古典的Wntシグナル伝達の活性化;および
e．ヒストンアセチル化の調節
からなる群より選択される1つまたは複数の作用を示す1種類または複数種類の作用物質と接触させる工程であって、該1種類または複数種類の作用物質が、増大した造血幹細胞集団を作製するのに十分な量で存在する、前記工程
を含む、増大した造血幹細胞集団をエクスビボで作製する方法。
【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
T細胞の集団を調製する方法であって、以下の工程、
（a）前記T細胞におけるBAFF-R受容体活性を低下させる工程、及び
（b）抗CD3抗体又はそのCD3結合フラグメント及び抗CD28抗体又はそのCD28結合フラグメントの存在下で、工程（a）のT細胞を約3〜約14日間、細胞傷害性T細胞を活性化するための適切な条件下で培養する工程、
を含み、前記低下工程及び培養工程が、前記T細胞を活性化し、得られた活性化T細胞の分裂を誘発して、治療法で使用するために十分な数の活性化T細胞を含む集団を生じることを特徴とする方法。
【請求項２】
前記T細胞が、白血球含有細胞混合物及び精製T細胞集団から成る群から選択される、請求項１に記載の方法。
【請求項３】
前記白血球含有細胞混合物又は精製T細胞集団が、人間の対象者の末梢血アフェレーシスから入手される、請求項２に記載の方法。
【請求項４】
前記白血球含有細胞混合物又は精製T細胞集団が、人間の対象者の末梢血単核球から入手される、請求項２に記載の方法。
【請求項５】
前記集団が、活性化CD4+ T細胞及びCD8+ T細胞の少なくとも１つを含む、請求項１に記載の方法。
【請求項６】
細胞傷害性CD8+ T細胞が、前記活性化T細胞集団から優先的に拡張される、請求項１に記載の方法。
【請求項７】
工程（a）の方法が、以下の工程、
（i）BAFF-Rアンタゴニストの存在下でT細胞を培養する工程、及び
（ii）T細胞をBAFF-R特異的shRNAと接触させる工程、
から成る群から選択される、請求項１に記載の方法。
【請求項８】
前記BAFF-Rアンタゴニストが、BAFF-R中和抗体である、請求項７に記載の方法。
【請求項９】
請求項１に記載の方法にしたがって調製されたヒトT細胞を含む、ex vivo培養T細胞集団。
【請求項１０】
下記工程、
（c）前記T細胞においてキメラ抗原受容体を提供して、前記キメラ抗原受容体を含む活性化T細胞の集団を生成する工程、
を追加的に含む、請求項１に記載の方法。
【請求項１１】
提供工程（c）が、以下の工程、
（i）前記キメラ抗原受容体を前記T細胞に導入する工程、及び
（ii）前記キメラ抗原受容体をコードする核酸ベクターを前記T細胞にトランスフェクトし、それによって前記T細胞が、前記キメラ抗原受容体を発現する工程、
から成る群から選択される工程を含む、請求項１０に記載の方法、
【請求項１２】
低下工程（a）が、以下の工程、
（i）BAFF-Rアンタゴニストの存在下でT細胞を培養する工程、及び
（ii）T細胞をBAFF-R特異的shRNAと接触させる工程、
から成る群から選択される工程を含む、請求項１０に記載の方法。
【請求項１３】
前記BAFF-Rアンタゴニストが、BAFF-R中和抗体である、請求項１２に記載の方法。
【請求項１４】
請求項１０に記載の方法にしたがって調製されたヒトT細胞を含むex vivo培養T細胞集団。
【請求項１５】
癌及び感染症から成る群から選択される疾患を治療する必要がある対象者におけるその疾患を治療するための医薬組成物であって、請求項９に記載のT細胞集団を含むことを特徴とする医薬組成物。
【請求項１６】
前記癌が、血液の悪性疾患である、請求項１５に記載の医薬組成物。
【請求項１７】
前記血液の悪性疾患が、白血病又はリンパ腫である、請求項１５に記載の医薬組成物。
【請求項１８】
前記感染症が、細菌性、ウイルス性、真菌性、及び寄生動物性から成る群から選択される、請求項１５に記載の医薬組成物。
【請求項１９】
静脈内注射によって投与されるものである、請求項１５に記載の医薬組成物。
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
サンプルをマイクロ流体デバイスに加えることと、
前記サンプルにおける標的ポリヌクレオチド配列を増幅することと
を含む方法であって、前記増幅が、
前記サンプルに増幅の第一ラウンドを実施して第一増幅産物を産生することと、
前記第一増幅産物に増幅の第二ラウンドを実施して第二増幅産物を産生することと
を含み、
前記第二増幅産物は、増幅の前記第一ラウンドの間に産生される前記第一増幅産物内に完全に含まれる、より小さい配列を含む、方法。
【請求項２】
前記第二増幅産物を検出することをさらに含む、請求項１に記載の方法。
【請求項３】
前記第二増幅産物の検出が、
フルオロフォア及びクエンチャーと連結された第一オリゴヌクレオチドによって、前記第二増幅産物を標識して標識された第二産物を得ることと、
前記標識された第二増幅産物からクエンチャーを切断することと、
前記フルオロフォアからのシグナルを光学的に検出することと
を含み、検出可能なシグナルが、前記第二増幅産物の存在の指標である、請求項２に記載の方法。
【請求項４】
前記クエンチャーを切断することが、ヌクレアーゼを用いて実施される、請求項３に記載の方法。
【請求項５】
前記ヌクレアーゼが、二本鎖ＤＮＡを標的にする、請求項４に記載の方法。
【請求項６】
前記ヌクレアーゼが、ホルムアミドピリミン−ＤＮＡグリコシラーゼである、請求項５に記載の方法。
【請求項７】
前記第二増幅産物の検出が、
酸化還元部分と連結された第一オリゴヌクレオチドによって、前記第二増幅産物を標識して標識された第二増殖産物を得ることと、
前記標識された第二増幅産物から酸化還元部分を切断することと、
前記切断された酸化還元部分からシグナルを電気化学的に検出することと
を含み、検出可能なシグナルが、前記第二増幅産物の存在の指標である、請求項２に記載の方法。
【請求項８】
前記酸化還元部分が、フェノチアジン、フェノキサジン、フェロセン、フェリシアン化物、ルテニウム（ＩＩＩ）、オスミウム（ＩＩ）、アントラキノン、フェナジン、及びこれらの誘導体からなる群から選択される、請求項７に記載の方法。
【請求項９】
前記酸化還元部分を切断することが、ヌクレアーゼを用いて実施される、請求項７に記載の方法。
【請求項１０】
前記ヌクレアーゼが、二本鎖ＤＮＡを標的にする、請求項９に記載の方法。
【請求項１１】
前記ヌクレアーゼが、ホルムアミドピリミン−ＤＮＡグリコシラーゼである、請求項１０に記載の方法。
【請求項１２】
前記第二増幅産物に増幅の第三ラウンドを実施して、第三増幅産物を産生することと、
前記第三増幅産物を検出することと
をさらに含み、前記第三増幅産物は、増幅の第二ラウンドの間に産生される前記第二増幅産物内に完全に含まれる、より小さい配列を含む、請求項１に記載の方法。
【請求項１３】
前記サンプルが、動物から得られる、請求項１に記載の方法。
【請求項１４】
動物から得られる前記サンプルが、前記動物の血液、喀痰、粘液、唾液、涙、又は尿から得られる、請求項１３に記載の方法。
【請求項１５】
前記サンプルが、ヒトから得られる、請求項１３に記載の方法。
【請求項１６】
前記標的ポリヌクレオチド配列が、標的核酸に含まれる、請求項１に記載の方法。
【請求項１７】
前記標的核酸が、動物病原体から得られる、請求項１６に記載の方法。
【請求項１８】
前記動物病原体が、一本鎖ＤＮＡウイルス、二本鎖ＤＮＡウイルス、又は一本鎖ＲＮＡウイルスである、請求項１７に記載の方法。
【請求項１９】
前記動物病原体が、細菌である、請求項１７に記載の方法。
【請求項２０】
前記標的核酸が、二本鎖ＤＮＡ、一本鎖ＤＮＡ、又はＲＮＡである、請求項１６に記載の方法。
【請求項２１】
前記標的核酸が、ゲノムＤＮＡ、プラスミドＤＮＡ、ウイルスＤＮＡ、ミトコンドリアＤＮＡ、ｃＤＮＡ、合成二本鎖ＤＮＡ、及び合成一本鎖ＤＮＡからなる群から選択される、請求項１６に記載の方法。
【請求項２２】
前記標的核酸が、ウイルスＤＮＡ又はウイルスＲＮＡである、請求項１６に記載の方法。
【請求項２３】
前記動物病原体が、インフルエンザＡウイルス又はインフルエンザＢウイルスである、請求項１７に記載の方法。
【請求項２４】
前記サンプルにおける２種類以上の標的ポリヌクレオチド配列が増幅される、請求項１に記載の方法。
【請求項２５】
インフルエンザＡ遺伝子配列を含む標的ポリヌクレオチド配列、及びインフルエンザＢ遺伝子配列を含む標的ポリヌクレオチド配列が増幅される、請求項２４に記載の方法。
【請求項２６】
２種類以上の増幅産物が検出される、請求項２に記載の方法。
【請求項２７】
インフルエンザＡ遺伝子配列を含む第二増幅産物、及びインフルエンザＢ遺伝子配列を含む第二増幅産物が検出される、請求項２６に記載の方法。